(57)【要約】【課題】本発明は、空気調和機に対する据付け構造を改良して、主据付け板と補助据付け板との連結に必要な強度が小ですみ、コスト低減および重量低減を図れる空気調和機の据付け装置を提供する。【解決手段】室内壁面Ｒに取付け固定され、空気調和機Ｋの上端および下端を係止して、空気調和機を室内壁面に据付ける空気調和機の据付け装置Ｓであり、互いに所定間隔を存して並置される左右両側据付け板１１，１２からなる主据付け板１０と、この主据付け板を構成する左右両側据付け板間に配置され、かつ左右両側据付け板を連結する補助据付け板２０とから構成され、空気調和機の上端および下端を係止する係合部１および係合孔部３を上記左右両側据付け板のそれぞれ上端と下端に備えた。【選択図】    図１
2008170096.tif 000002
【特許請求の範囲】
【請求項１】
室内壁面に取付け固定され、空気調和機の上端および下端を係止して、空気調和機を室内壁面に据付ける空気調和機の据付け装置において、
互いに所定間隔を存して並置される左側据付け板と右側据付け板からなる主据付け板と、この主据付け板を構成する左右両側据付け板間である中央部に配置され、かつ左右両側据付け板を連結する補助据付け板とから構成され、
上記空気調和機の上端および下端を係止する係合部を、上記主据付け板を構成する左右両側据付け板のそれぞれ上端と下端に備えたことを特徴とする空気調和機の据付け装置。
【請求項２】
上記補助据付け板は、金属板もしくは型紙からなることを特徴とする請求項１記載の空気調和機の据付け装置。
【発明の詳細な説明】
【技術分野】
【０００１】
本発明は、空気調和機を室内壁面に据付けるための据付け装置の改良に関する。
【背景技術】
【０００２】
横長状の空気調和機を室内壁面に据付けるための据付け装置として据付け板が用いられていて、この据付け板は壁面に取付けねじを介して取付けられる。従来、上記据付け板は空気調和機の幅方向寸法と略同一の幅方向寸法に形成され、かつ幅方向寸法と比較して上下方向寸法が短い横長状をなす。
【０００３】
据付け板の上端に沿って、空気調和機の裏面上端に沿って形成される係止部と係合する係合部が設けられる。据付け板の下端には、左右２ヶ所に突部が形成され、ここに空気調和機の裏面下端に設けられる係止爪部を引掛けるための係合孔部が設けられる。特に、係止爪部と係合孔部は配管作業時の空気調和機の浮き防止用である。
【０００４】
上記据付け装置は、プレス加工により形成される１枚物の据付け板であり、必要か所には補強用リブや取付け用孔が設けられ、空気調和機に対する据付け強度が確保されている。しかしながら、空気調和機の幅方向長さと略同一の幅方向長さであるので、材料費が嵩むとともに金型代が嵩む。
【０００５】
そこで、［特許文献１］および［特許文献２］において、空気調和機を室内壁面に取付けるための据付け装置が開示されるに至った。いずれの据付け装置も、横長状の主据付け板と、この主据付け板に取付けられ、互いに所定間隔を存して並設される左右一対の補助据付け板とから構成される。なお、変形例として１枚物の補助据付け板もある。
【０００６】
【特許文献１】特開２００２−０１３８００号公報
【特許文献２】特開２００２−２１３７７０号公報
【発明の開示】
【発明が解決しようとする課題】
【０００７】
しかしながら、上述の据付け装置は、１台の空気調和機を据付け対象としていながら、空気調和機上端の係止部と係合する係合部を主据付け板上端に備え、空気調和機下端の係止爪部と係合する係合孔部を補助据付け板下端に備えている。そして、据付け現場で主据付け板と補助据付け板を連結したうえで、取付けねじを介して壁面に取付ける。
【０００８】
そのあと、空気調和機を据付け装置に据付けるが、この状態で空気調和機の重量を主据付け板および補助据付け板が受けることとなり、互いの連結部にも空気調和機の重量がかかる。したがって、主据付け板と補助据付け板との連結部分を、特に頑丈な構造にしないと所期の効果が得られない。
【０００９】
本発明は上記事情にもとづきなされたものであり、その目的とするところは、主据付け板と補助据付け板とから構成することには変りがないが、空気調和機に対する据付け構造を改良して、主据付け板と補助据付け板との連結に必要な強度が小ですみ、コスト低減および重量低減を図れる空気調和機の据付け装置を提供しようとするものである。
【課題を解決するための手段】
【００１０】
上記目的を満足するため本発明は、室内壁面に取付け固定され、空気調和機の上端および下端を係止して、空気調和機を室内壁面に据付ける空気調和機の据付け装置において、互いに所定間隔を存して並置される左右両側据付け板からなる主据付け板と、この主据付け板を構成する左右両側据付け板間に配置され、かつ左右両側据付け板を連結する補助据付け板とから構成され、上記空気調和機の上端および下端を係止する係合部を、上記主据付け板を構成する左右両側据付け板のそれぞれ上端と下端に備えた。
【発明の効果】
【００１１】
本発明によれば、主据付け板と補助据付け板との連結に必要な強度が小ですみ、コスト低減および重量低減を図れるなどの効果を奏する。
【発明を実施するための最良の形態】
【００１２】
以下、本発明の実施の形態を、図面にもとづいて説明する。  
図７は室内壁面Ｒに据付け装置Ｓを介して空気調和機（室内機）Ｋを据付けた状態を示す一部切欠した側面図である。
【００１３】
上記据付け装置Ｓは後述するように構成されていて、室内壁面Ｒに取付けねじｎを介して取付け固定される。上記空気調和機Ｋは、裏面側上端に沿って下方に向けて折曲形成される係止部ａが設けられるとともに、裏面側下端に下方に向けて折曲形成される係止爪部ｂが左右２箇所、互いに所定間隔を存して設けられる。
【００１４】
上記据付け装置Ｓの上端は壁面Ｒから離間する方向に水平に折曲されるとともに、壁面Ｒと所定間隔を存した位置から上方へ折曲される逆Ｌ字状の係合部１を備えている。さらに、据付け装置Ｓの下端は壁面Ｒから離間する方向に水平に折曲される係合受け部２を備えていて、ここには係合孔部３が設けられる。
【００１５】
先に説明したように、上記空気調和機Ｋ上端に設けられる係止部ａは据付け装置Ｓの係合部１に係合され、空気調和機Ｋ下端に設けられる係止爪部ｂは据付け装置Ｓの係合孔部３に係合される。したがって、空気調和機Ｋは据付け装置Ｓを介して室内壁面Ｒに据付けられることになる。
【００１６】
つぎに、上記据付け装置Ｓについて詳述する。  
図１（Ａ）は第１の実施の形態での据付け装置Ｓを分解した斜視図、図１（Ｂ）は同据付け装置Ｓの組立てを説明する一部斜視図、図１（Ｃ）は同据付け装置Ｓの組立て斜視図である。
【００１７】
上記据付け装置Ｓは、金属板からなる主据付け板１０および補助据付け板２０とから構成される。上記主据付け板１０は、上記補助据付け板２０を間にして左右に配置される左側据付け板１１と右側据付け板１２とから構成される。換言すれば、補助据付け板２０が中央部に位置し、この補助据付け板２０の左側に左側据付け板１１が配置され、補助据付け板２０の右側に右側据付け板１２が配置される。
【００１８】
左右両側据付け板１２の上端に沿って上記係合部１が設けられ、この係合部１の幅方向寸法と比較して上下方向へ縦長状に形成される。下部において、互いに対向する側である内側部を基準にして外側部の幅寸法が狭く形成される。幅狭の下端には、上記係合孔部３を備えた上記係合受け部２が設けられる。
【００１９】
したがって、左右両側据付け板１１，１２は上端から下部に亘って幅広であり、かつ下部から下端に亘って幅狭になった左右対称形状をなしている。左右両側据付け板１１，１２には補強用リブや取付けねじの挿通用孔および、据付け装置の壁面取付けの際に工事作業者の理解を容易化するための基準線や矢印、あるいは図示しない情報などの刻印文字が記されている。
【００２０】
さらに、左右両側据付け板１１，１２の内側部における上下方向の略中央部には、板面に対して補助据付け板２０の板厚分よりも若干小さい立ち上り寸法で切起し加工される嵌め込み部４が設けられている。  
このように左右両側据付け板１１，１２に設けられる上記係合部１および係合受け部２と係合孔部３は、上記刻印文字や嵌め込み部４などとともに一度のプレス加工により全てが形成される。
【００２１】
上記補助据付け板２０は、幅方向と比較して上下方向寸法が短い、横長形状をなす。この補助据付け板２０にも補強用リブや取付けねじの挿通用孔および刻印文字などが設けられる。左右両側部における上下方向の略中央部に、上下方向寸法が嵌め込み部４の上下方向寸法よりも僅かに小に形成される矩形状の切欠部５が設けられる。これら刻印文字や切欠部５は一度のプレス加工により全てが形成される。
【００２２】
図１（Ａ）に示すように、補助据付け板２０に設けられる切欠部５を、左右両側据付け板１１，１２にそれぞれ設けられる嵌め込み部４と対向することで、補助据付け板２０と左右両側据付け板１１，１２との組立て準備が整う。  
図１（Ｂ）に示すように、左側据付け板１１の嵌め込み部４端（最深部）が補助据付け板２０の切欠部５先端に突き当たるまで挿入する。補助据付け板２０の切欠部５上下部位は、左側据付け板１１の板面に重なる。つぎに、右側据付け板１２の嵌め込み部４端が補助据付け板２０の切欠部５先端に突き当たるまで挿入する。補助据付け板２０の切欠部５上下部位は、右側据付け板１２の板面に重なる。
【００２３】
このことから、図１（Ｃ）に示すように、補助据付け板２０を間にして主据付け板１０を構成する左右両側据付け板１１，１２が取付けられた状態で、略Ｈ状の据付け装置Ｓが構成される。  
嵌め込み部４端が切欠部５先端に突き当たるまで挿入することで、補助据付け板２０に対する左右両側据付け板１１，１２の位置を正しく設定でき、かつ据付け装置Ｓ全体の幅寸法を規制できる。
【００２４】
さらに、補助据付け板２０に対して左右両側据付け板１１，１２を上方向もしくは下方向に寄せて、嵌め込み部４を切欠部５上端もしくは下端に突き当てることで、補助据付け板２０に対する左右両側据付け板１１，１２の上下位置を正しく設定できる。  
補助据付け板２０の切欠部５を除く端部は左右両側据付け板１１，１２板面に重なるので、これらの重なり部分をスポット溶接しておき、据付け装置Ｓとして完成された状態で保管し、かつ据付け現場に搬入する。
【００２５】
先に図７で説明したように、据付け装置Ｓを室内壁面Ｒに取付けねじｎを介して取付けた後、空気調和機Ｋを持ち上げて、空気調和機Ｋ上端の係止部ａを左右両側据付け板１１，１２上端の係合部１に係合し、かつ空気調和機Ｋ下端の係止爪部ｂを左右両側据付け板１１，１２下端の係合孔部３に係合する。
【００２６】
空気調和機Ｋは据付け装置Ｓを介して室内壁面Ｒに据付けられ、空気調和機Ｋの重量は係止部ａと係止爪部ｂから左右両側据付け板１１，１２にかかる。換言すれば、空気調和機Ｋは左右両側据付け板１１，１２からなる主据付け板１０のみに支持され、補助据付け板２０に空気調和機Ｋの重量がかからない。
【００２７】
補助据付け板２０は左右両側据付け板１０の間に介在して、左右両側据付け板１１，１２の位置決めをなす機能のみを備えることになる。空気調和機Ｋの重量が左右両側据付け板１１，１２と補助据付け板２０との連結部分にかからずにすむから、これらの連結部を特に頑丈な構造にする必要がない。  
そして、据付け装置Ｓを３分割構造とすることで、空気調和機Ｋの据付けにおいて、機能的に重要でない中央部分の材料を削減することができ、材料費の低減が得られ、軽量化を図ることができる。
【００２８】
図２（Ａ）は第２の実施の形態での据付け装置Ｓａを分解した斜視図、図２（Ｂ）は同据付け装置Ｓａの組立てを説明する一部斜視図、図２（Ｃ）はさらに同据付け装置Ｓａの組立てを説明する一部斜視図、図２（Ｄ）は同据付け装置Ｓａの組立て斜視図である。（なお、第１の実施の形態と同一部分には同番号を付して、新たな説明は省略する。以下、同じ）
上記据付け装置Ｓａは、主据付け板１０ａと、補助据付け板２０ａとから構成され、上記主据付け板１０ａは、上記補助据付け板２０ａを間にして左右に配置される左側据付け板１１ａと右側据付け板１２ａとから構成される。  
左右両側据付け板１１ａ，１２ａ上端に沿って係合部１が設けられ、下端には係合孔部３を備えた係合受け部２が形成される。補強用リブや取付けねじの挿通用孔や、図示しない刻印文字が記されていることも同様である。左右両側据付け板１１ａ，１２ａの内側部には、上下方向に所定間隔を存して一対の嵌め込み部４，４が設けられる。
【００２９】
上記補助据付け板２０ａは、第１の実施の形態と同一の寸法形状をなし、補強用リブや取付けねじの挿通用孔および刻印文字などが設けられていることも変りがない。補助据付け板２０ａの左右両側部において、上下方向に所定間隔を存して一対の切欠部５，５が設けられる。
【００３０】
図２（Ａ）に示すように、補助据付け板２０ａの左右両側部に設けられる一対の切欠部５と、左右両側据付け板１１ａ，１２ａに設けられる一対の嵌め込み部４とを対向し、嵌め込み部４を切欠部５に挿入する。そして、図２（Ｂ）に示すように、嵌め込み部４端を切欠部５先端に突き当たらせる。
【００３１】
したがって、補助据付け板２０ａに対する左右両側据付け板１１ａ，１２ａの位置を正しく設定でき、かつ据付け装置Ｓａ全体の幅寸法を規制できる。図２（Ｃ）に示すように、補助据付け板２０ａに対して左右両側据付け板１１ａ，１２ａを上方向もしくは下方向に寄せて、嵌め込み部４を切欠部５上端もしくは下端に当てることで、補助据付け板２０ａに対する左右両側据付け板１１ａ，１２ａの上下位置を正しく設定できる。
【００３２】
図２（Ｄ）に示すように、左右両側据付け板１１ａ，１２ａからなる主据付け板１０ａと補助据付け板２０ａとで、略Ｈ状の据付け装置Ｓａが形成される。補助据付け板２０ａの切欠部５を除く端部は左右両側据付け板１１ａ，１２ａ板面に重なるので、これらの重なり部分をスポット溶接しておき、据付け装置Ｓａとして完成された状態で保管し、かつ据付け現場に搬入する。
【００３３】
空気調和機Ｋは据付け装置Ｓａを介して室内壁面Ｒに据付けられ、空気調和機Ｋの重量は係止部ａと係止爪部ｂから主据付け板１０ａである左右両側据付け板１１ａ，１２ａにかかり、補助据付け板２０ａにはかからない。すなわち、空気調和機Ｋの重量が左右両側据付け板１１ａ，１２ａと補助据付け板２０ａとの連結部分にかからずにすみ、これらの連結部を特に頑丈な構造にする必要がない。
【００３４】
さらに、ここでは補助据付け板２０ａに上下方向に離間して一対の切欠部５，５を備え、これら切欠部５，５を左右両側据付け板１１ａ，１２ａの一対の嵌め込み部４，４に挿入している。したがって、左右両側据付け板１１ａ，１２ａと補助据付け板２０ａとの連結にガタツキが生じる余地が無く、強固にして確実に連結できることとなる。
【００３５】
図３（Ａ）は第３の実施の形態での据付け装置Ｓｂを分解した斜視図、図３（Ｂ）は同据付け装置Ｓｂの組立てを説明する一部斜視図、図３（Ｃ）はさらに同据付け装置Ｓｂの組立てを説明する一部斜視図、図３（Ｄ）は同据付け装置Ｓｂの組立て斜視図である。  
上記据付け装置Ｓｂは、主据付け板１０ｂと、補助据付け板２０ｂとから構成され、上記主据付け板１０ｂは、上記補助据付け板２０ｂを間にして左右に配置される左側据付け板１１ｂと右側据付け板１２ｂとから構成される。
【００３６】
左側据付け板１１ｂの右側部に一対の嵌め込み部４，４が設けられるとともに、上部側嵌め込み部４の斜め上方近傍部位と、下部側嵌め込み部４の斜め下方近傍部位には、それぞれ矩形状の孔部７が設けられる。  
右側据付け板１２ｂの左側部に一対の嵌め込み部４，４が設けられ、上部側嵌め込み部４の斜め上方近傍部位と、下部側嵌め込み部４の斜め下方近傍部位には、それぞれ矩形状の孔部７が設けられる。
【００３７】
これに対して補助据付け板２０ｂの左右両側部に設けられる一対の切欠部５，５の、それぞれ上端と下端は、上下方向に短いリブ８，８が形成される。これらリブ８の上下方向寸法は、上記左右側据付け板１１ｂ，１２ｂに設けられる矩形状孔部７の上下方向寸法よりも僅かに短く形成される。
【００３８】
図３（Ａ）および（Ｂ）に示すように、補助据付け板２０ｂの一対の切欠部５と左右両側据付け板１１ｂ，１２ｂの一対の嵌め込み部４とを対向し、補助据付け板２０ｂの一対のリブ８と左右両側据付け板１１ｂ，１２ｂの一対の孔部７とを対向する。  
そして、嵌め込み部４端が切欠部５先端に突き当たるまで挿入し、かつ補助据付け板２０ｂに対して左右両側据付け板１１ｂ，１２ｂを上方向もしくは下方向に寄せて、嵌め込み部４を切欠部５上端もしくは下端に当てる。したがって、補助据付け板２０ｂに対する左右両側据付け板１１ｂ，１２ｂの位置を正しく設定できる。
【００３９】
図３（Ｃ）に示すように、補助据付け板２０ｂのリブ８を略直角に折り曲げて左右両側据付け板１１ｂ，１２ｂの孔部７に挿入し、かつ孔部７から突出したリブ８の先端を補助据付け板２０ｂの板面（裏面）に接するように、さらに折り曲げる。
【００４０】
このようにして、左右両側据付け板１１ｂ，１２ｂからなる主据付け板１０ｂと補助据付け板２０ｂとで、略Ｈ状に形成される据付け装置Ｓｂが組立てられる。ここでは、上述の効果の他に、左右両側据付け板１１ｂ，１２ｂと補助据付け板２０ｂとの重なり部分を、孔部７とリブ８との係合とすることにより、溶着などの加工を不要として安価に組立てることができる。
【００４１】
図４（Ａ）は第３の実施の形態における据付け装置Ｓｃを分解した斜視図、図４（Ｂ）は同据付け装置Ｓｃの組立てを説明する一部斜視図、図４（Ｃ）は同据付け装置Ｓｃの組立て斜視図である。
【００４２】
上記据付け装置Ｓｃは、主据付け板１０ｃと、補助据付け板２０ｃとから構成され、上記主据付け板１０ｃは、上記補助据付け板２０ｃを間にして左右に配置される左側据付け板１１ｃと右側据付け板１２ｃとから構成される。さらに、後述する点を除いて全て第３の実施の形態と同一であるので、同部分には同番号を付して新たな説明を省略する。
【００４３】
上記補助据付け板２０ｃは、ここでは型紙（厚紙もしくは段ボール）を用いたことを特徴としている。左右両側据付け板１１ｃ，１２ｃの側部には嵌め込み用リブ１４が、水平方向と垂直方向に９０°の角度を存し板面に対して直角に切り起し形成される。これに対して補助据付け板２０ｃには、直状の切込み部１５が上記嵌め込み用リブ１４と対向して設けられる。
【００４４】
図４（Ａ）および図４（Ｂ）に示すように、補助据付け板２０ｃの両側部を左右両側据付け板１１ｃ，１２ｃの側部に対向するとともに、左右両側据付け板１１ｃ，１２ｃの嵌め込み用リブ１４を補助据付け板２０ｃの切込み部１５に対向する。そして、嵌め込み用リブ１４を切込み部１５に挿入し、かつ切込み部１５から突出する嵌め込み用リブ１４を補助据付け板２０ｃの板面に沿って折曲げる。
【００４５】
実際には、左側据付け板１１ｃと右側据付け板１２ｃおよび補助据付け板２０ｃは別個のままで保管し、それぞれを据付け現場に搬入する。そして、据付け現場において上述のようにして据付け装置Ｓｃを組立て、取付けねじｎを介して壁面Ｒに取付けた後、空気調和機Ｋを据付ける。
【００４６】
上述したように、補助据付け板２０ｃは左側据付け板１１ｃと右側据付け板１２ｃ間の寸法を出すためだけの最小限の機能を備えればよいので、素材を型紙に変えることができ、金属板からなるものと比較して材料費と金型費の低減を図れる。
【００４７】
図５（Ａ）は第４の実施の形態での据付け装置Ｓｄの組立て斜視図、図５（Ｂ）は同据付け装置Ｓｄを説明する一部側面図、図５（Ｃ）は同据付け装置Ｓｄの組立て正面図である。  
上記据付け装置Ｓｄは、第２の実施の形態と全く同一の主据付け板１０ａと、第２の実施の形態と一部を除いて同一の後述する補助据付け板２０ｄとから構成される。したがって、第２の実施の形態と同一部分には同番号を付して新たな説明は省略する。
【００４８】
上記補助据付け板２０ｄは図５（Ａ）に示すように、上端に沿って板面から水平方向に９０°折り曲げられる支持用片部１６を備えている。据付け装置Ｓｄを壁面Ｒに取付けた後、据付け装置Ｓｄに空気調和機Ｋを据付ける前に、図５（Ｂ）および図５（Ｃ）に示すように、上記支持用片部１６に水平器Ｍを支持し、据付け装置Ｓｄが正確に水平度を出しているかを確認する。
【００４９】
すなわち、補助据付け板２０ｄに設けられる支持用片部１６は水平器Ｍを安定して置くことができる置き場であって、据付け装置Ｓｄの水平度をより正確に、かつ簡単な作業で確認できることとなる。
【００５０】
図６は第５の実施の形態での据付け装置Ｓｅの組立てられた正面図である。  
上記据付け装置Ｓｅは、主据付け板１０ｅと、補助据付け板２０ｅとから構成される。上記主据付け板１０ｅは、上記補助据付け板２０ｅを間にして左右に配置される左側据付け板１１ｅと右側据付け板１２ｅとから構成される。
【００５１】
左右両側据付け板１１ｅ，１２ｅと補助据付け板２０ｅとの組立て構造については、先に説明した第１の実施の形態と同一であるので、同部分には同番号を付して新たな説明は省略する。  
ここでは、左右両側据付け板１１ｅ，１２ｅを完全に同一形状として、左右共通部品としたことを特徴とする。したがって、左右両側据付け板１１ｅ，１２ｅを製作するための金型が共通となって、金型費の低減を図ることができる。
【００５２】
なお、本発明は上述した各実施の形態そのままに限定されるものではなく、実施段階ではその要旨を逸脱しない範囲でさらに構成要素を変形して具体化できる。そして、上述した実施の形態に開示されている複数の構成要素の適宜な組み合わせにより種々の発明を形成できる。
【図面の簡単な説明】
【００５３】
【図１】本発明における第１の実施の形態に係る、据付け装置を分解した斜視図と、据付け装置の組立てを説明する一部斜視図および組立てられた据付け装置の斜視図。
【図２】本発明における第２の実施の形態に係る、据付け装置を分解した斜視図と、据付け装置の組立てを説明する互いに異なる一部斜視図および組立てられた据付け装置の斜視図。
【図３】本発明における第３の実施の形態に係る、据付け装置を分解した斜視図と、据付け装置の組立てを説明する一部正面図と斜視図および組立てられた据付け装置の斜視図。
【図４】本発明における第４の実施の形態に係る、据付け装置を分解した斜視図と、据付け装置の組立てを説明するための一部斜視図および組立てられた据付け装置の斜視図。
【図５】本発明における第５の実施の形態に係る、組立てられた据付け装置の斜視図と、据付け装置の一部側面図および組立てられた据付け装置の正面図。
【図６】本発明における第６の実施の形態に係る、組立てられた据付け装置の正面図。
【図７】本発明における各実施の形態に共通する、空気調和機に対する据付け装置の据付け状態を説明する図。
【符号の説明】
【００５４】
Ｒ…室内壁面、Ｋ…空気調和機、１１…左側据付け板、１２…右側据付け板、１０…主据付け板、２０…補助据付け板、１…係合部、３…係合孔部。
【図１】
2008170096.tif 000003
【図２】
2008170096.tif 000004
【図３】
2008170096.tif 000005
【図４】
2008170096.tif 000006
【図５】
2008170096.tif 000007
【図６】
2008170096.tif 000008
【図７】
2008170096.tif 000009